(57)【要約】【課題】  電気器具とレールの電気的接続を容易にすると共に、スピーカや照明器具等、送電内容の異なる電気器具を複数、レールに支持させることができる電気器具の支持装置を提供するものである。【解決手段】  電気信号もしくは電気エネルギーを伝達、供給して機能するスピーカ、照明器具等の電気器具３と、断面略コ字状の枠部２ａ、この枠部２ａの内側に設けられ、前記電気器具３と電気的に接続する1対もしくは複数対の接続線６を保持する接続線保持部５ならびに長手方向に開放溝７を介して対向するレール部２ｂを有するレール２と、上記レール２のレール部２ｂに着脱自在、かつ摺動自在に係合する係合部４ａならびに係合状態において前記接続線６に電気的に接続する電気器具３の接続端子１０を有する器具支持体４とを備え、上記各対をなす接続線６は、電気的に絶縁されている。【選択図】  図２
2005222803.tif 000002
【特許請求の範囲】
【請求項１】
器具支持体を介してレールに着脱自在に係合するスピーカであって、上記レールは、断面略コ字状の枠部、この枠部の内側に設けられ、前記電気器具と電気的に接続する1対もしくは複数対の接続線を保持する接続線保持部ならびに長手方向に開放溝を介して対向するレール部を有し、上記器具支持体は、上記レールのレール部に着脱自在、かつ摺動自在に係合する係合部ならびに係合状態において前記接続線に電気的に接続する電気器具の接続端子を有すると共に、上記各対をなす接続線は、電気的に絶縁されていることを特徴とするスピーカ。
【請求項２】
電気信号もしくは電気エネルギーを伝達、供給して機能するスピーカ、照明器具等の電気器具と、断面略コ字状の枠部、この枠部の内側に設けられ、前記電気器具と電気的に接続する1対もしくは複数対の接続線を保持する接続線保持部ならびに長手方向に開放溝を介して対向するレール部を有するレールと、上記レールのレール部に着脱自在、かつ摺動自在に係合する係合部ならびに係合状態において前記接続線に電気的に接続する電気器具の接続端子を有する器具支持体とを備え、上記各対をなす接続線は、電気的に絶縁されていることを特徴とする電気器具支持装置。
【請求項３】
器具支持体は、上記開放溝より小さい小幅部と開口幅より大きい大幅部を有する係合部を備え、上記係合部を開口溝に挿入して回動することにより器具支持体をレールに装着させることを特徴とする請求項２記載の電気器具支持装置。
【請求項４】
レールは、断面が左右対称形をした二つの導電性部材を非導電性部材を介して結合したことを特徴とする請求項２または３記載の電気器具支持装置。
【請求項５】
導電性部材は、アルミニウムの押出材で構成したことを特徴とする請求項２から４のいずれかに記載の電気器具保持装置。
【請求項６】
接続線保持部は、非導電性材料で形成したことを特徴とする請求項２から５のいずれかに記載の電気器具保持装置。
【請求項７】
接続線保持部は、弾性を有するプラスチック材料で形成し、その接続線把持部に接続線を圧入して保持したことを特徴とする請求項２から５のいずれかに記載の電気器具保持装置。
【請求項８】
レールは、非導電性材料で形成し、接続線保持部は、導電性材料で形成したことを特徴とする請求項２から７のいずれかに記載の電気器具支持装置。
【請求項９】
レールに設けた接続線ならびに接続線保持部は、一体の導電性材料で形成したことを特徴とする請求項２から８のいずれかに記載の電気器具支持装置。
【発明の詳細な説明】
【技術分野】
【０００１】
本発明は、スピーカ、照明器具等の電気器具を例えば、天井に近接してレールを配設し、このレールに沿って移動可能に構成し、かつ電気器具への電気の供給、電気信号の伝達をレール内の接続線で同時に行えるようにしたもので、作業の容易性、装置コストの低減を図ったものである。
【背景技術】
【０００２】
従来より、照明器具等において、天井部に配設したレールに車輪を介して懸下して上記照明器具を自在に移動させ、併せて、レールに設けた電源ラインと車輪とを電気的に接触させることによりレール側から照明器具に電力を供給する構成の電気器具支持装置は存在する（特許文献１参照）。
【特許文献１】特開平９−６３３４４号公報
【発明の開示】
【発明が解決しようとする課題】
【０００３】
しかしながら、上記従来のものは、電力供給に車輪を用いる必要があり、絶縁構造など複雑となる上、レールと電気器具の着脱も容易でなく、さらに送電内容の異なる複数の
電気器具を一つのレールに懸架することもできない等の欠点があった。
【０００４】
本発明は、上記課題を解決し、簡単な構造でありながら、電気器具とレールの着脱、移動を容易にすると共に、スピーカや照明器具等、送電内容の異なる電気器具を複数、レールに支持させることができる電気器具の支持装置を提供するものである。
【課題を解決するための手段】
【０００５】
上記の目的を達成するために、本発明のスピーカは、器具支持体を介してレールに着脱自在に係合するスピーカであって、上記レールは、断面略コ字状の枠部、この枠部の内側に設けられ、前記電気器具と電気的に接続する1対もしくは複数対の接続線を保持する接続線保持部ならびに長手方向に開放溝を介して対向するレール部を有し、上記器具支持体は、上記レールのレール部に着脱自在、かつ摺動自在に係合する係合部ならびに係合状態において前記接続線に電気的に接続する電気器具の接続端子を有すると共に、上記各対をなす接続線は、電気的に絶縁されていることを特徴とする。
【０００６】
また本発明の電気器具支持装置は、電気信号もしくは電気エネルギーを伝達、供給して機能するスピーカ、照明器具等の電気器具と、断面略コ字状の枠部、この枠部の内側に設けられ、前記電気器具と電気的に接続する1対もしくは複数対の接続線を保持する接続線保持部ならびに長手方向に開放溝を介して対向するレール部を有するレールと、上記レールのレール部に着脱自在、かつ摺動自在に係合する係合部ならびに係合状態において前記接続線に電気的に接続する電気器具の接続端子を有する器具支持体とを備え、上記各対をなす接続線は、電気的に絶縁されていることを特徴とする。
【発明の効果】
【０００７】
本発明によれば、電気器具（スピーカ）を器具支持体を介してレールに着脱自在、かつ摺動自在とし、併せて電気器具のレールへの装着状態において、電気器具への電気的供給・伝達をレール内部、かつ長手方向に配設した接続線に電気的接続するよう構成したため、別途電気配線する必要がなく、かつ複数対の電気的接続が可能なため、１本のレールにスピーカ、マイクロホン、照明器具等、複数の電気器具を取付け可能である。さらに、電気器具は、レールに対する着脱、移動が可能で、低コストで実現できる効果を奏する。
【発明を実施するための最良の形態】
【０００８】
以下に本発明の一実施形態を図１〜３を参照して説明する。
【０００９】
天井１にレール２が固定されており、レール２には、照明器具等の電気器具３が器具支持体4を介して摺動自在、かつ着脱自在に取り付けられている。レール２は、断面略コ字状の枠部２ａと器具支持体４に形成した係合部４ａと着脱自在に係合するレール部２ｂと枠部２ａの内側空間に向けて形成された接続線保持部５とを有している。接続線保持部５以外のレール２、すなわち枠部２ａおよびレール部２ｂは、アルミニウム製の押出材で形成され、接続線保持部５は、非導電性材料、例えばポリプロピレン樹脂で形成されており、一端は、枠部２ａの内壁に取付けられている。本実施形態では、枠部２ａの内壁に形成した断面T字状の溝１２ａに接続線保持部５の一端に形成した断面Ｔ字状の凸部５ａを圧入して固着している。接続線保持部５の他端には、導電性、例えば銅の接続線６をレール２の長手方向に沿って配置するよう接続線６を弾性的に把持する接続線把持部５ｂを有している。そして接続線６は、接続線保持部５の接続線把持部５ｂに圧入して固定される。
【００１０】
なお、本実施形態では、接続線保持部５を非導電性材料で、それ以外の部分を非導電性材料で形成したが、接続線と接続線保持部を一体の導電性材料（例えば銅板）で形成し、枠部ならびにレール部を逆にプラスチック材料等の非導電性材料で形成してもよい（図５参照）。
【００１１】
レール２のレール部２ｂに係合する器具支持体４の係合部４ａは、レール部２ｂの開放溝７の溝幅より小さい小幅部８と大きい大幅部９を有し、小幅部８を開放溝７から挿入し、器具支持体４の係合部４ａを略９０°回動することにより、大幅部９をレール部２ｂに架け渡して器具支持体４をレール２に懸架、装着する。また、器具支持体４は、電気器具３と連結可能に構成されており、かつ音声等の電気信号線あるいは電源線を前記レール２内の接続線６と接続する接続端子１０を備えている。そして器具支持体４をレール２に装着した状態において、接続端子１０とレール２の接続線７とが電気的に接続するように構成されている。
【００１２】
図４は、本発明の第2の実施形態を示し、この場合は、一対の接続線５７の絶縁をレール５２を二つに分離し、間に非導電性部材５０を介在させることによって実現したものである。
【００１３】
次に、図５は、第３の実施形態を示し、この場合は、一本のレール１０２に照明器具とスピーカとマイクロホンの３種類の電気器具（図示せず）が懸架、接続されている。レール１０２には、照明器具への電力供給、スピーカ、マイクロホンへの電気信号伝達の３種類の電気情報を伝達可能とするため、器具支持体１０４の内部に三つの配線があり、レール１０２には、前記器具支持体１０４の三つの接続端子１１０ａ、１１０ｂ、１１０ｃと電気的に接続する三つの接続体１０５ａ、１０５ｂ、１０５ｃが設けられ、前記第１の実施形態における接続線６ならびに接続線保持部５とが一体に形成された銅板により構成され、コストダウンに大きく寄与している。そして、器具支持体１０４をレール１０２に装着した状態で、接続体１０５ａ，１０５ｂ、１０５ｃと接続端子１１０ａ、１１０ｂ、１１０ｃは接触して電気的に接続するよう構成されている。
【００１４】
図６は、第４の実施形態を示すもので、この場合は、レール２０２を垂直方向に配設したスタンドで、スピーカ２０３が器具支持体２０４を介して上下方向に摺動自在に構成されており、スピーカ２０３の重力によるモーメントが働き、器具支持体２０４の係合部（図示せず）がレール部２０２に圧接して摩擦力が働き、スピーカ２０３を所望の位置で止めることができる。そして位置を変える時は、スピーカ２０３を重力に抗して上方に持ち上げながら所望の位置で止めればよい。
【００１５】
なお、本実施形態では、レールを長尺、かつ直線状にして用いたが、湾曲させて用いても、また、逆にレールを短く形成して、着脱機能のみを採用することも可能である。
【産業上の利用可能性】
【００１６】
本発明は、電力供給や電気信号の伝達により機能する電気器具に広く応用することができ、同時に異なる種類の電気器具を使用することができる等、広い範囲で使用可能である。
【図面の簡単な説明】
【００１７】
【図１】本発明の第１の実施形態における電気器具支持装置の側面図である。
【図２】本発明の第１の実施形態における電気器具支持装置の要部断面図である。
【図３】図２のＡ−Ａ断面矢視図である。
【図４】本発明の第２の実施形態における電気器具支持装置の要部断面図である。
【図５】本発明の第３の実施形態における電気器具支持装置の要部断面図である。
【図６】本発明の第４の実施形態における電気器具支持装置の側面図である。
【符号の説明】
【００１８】
２、５２、１０２、２０２      レール
２ａ      枠部
２ｂ      レール部
３      電気器具
４、２０４      器具支持体
４ａ      係合部
５      接続線保持部
５０      非導電性部材
５７      接続線把持部
６      接続線
７      開口溝
１０、１１０      接続端子
２０３      スピーカ
【図１】
2005222803.tif 000003
【図２】
2005222803.tif 000004
【図３】
2005222803.tif 000005
【図４】
2005222803.tif 000006
【図５】
2005222803.tif 000007
【図６】
2005222803.tif 000008